(57)【特許請求の範囲】
【請求項１】
装置本体内に固定された軸と、
撮影レンズの撮影光路中に挿脱され、該撮影レンズの焦点距離を変更する変換レンズと、
前記変換レンズを前記軸に回動可能に保持する軸装着部と、
前記軸に回動可能に嵌装され、前記軸の中心に対して偏心した外周面を有し、該偏心した外周面に前記軸装着部の一部分が回動可能に嵌装されるカラー部材と、
前記カラー部材の前記軸に対する回転調整によって前記変換レンズの光軸の傾きを調整した後、前記カラー部材を前記軸に固定する固定部材と、
を備えたことを特徴とするカメラのエクステンダー装置。
【請求項２】
前記変換レンズとして倍率の異なる２種類の変換レンズを備えると共に、前記軸装着部として前記２種類の変換レンズの各々を前記軸に回動可能に保持する２つの軸装着部を備えたカメラのエクステンダー装置であって、前記２種類の変換レンズのうち倍率の高い変換レンズの前記軸装着部の一部分が前記カラー部材の偏心した外周面に回動可能に嵌装されることを特徴とする請求項１のカメラのエクステンダー装置。
【請求項３】
前記変換レンズとして倍率の異なる２種類の変換レンズを備えると共に、前記軸装着部として前記２種類の変換レンズの各々を前記軸に回動可能に保持する２つの軸装着部を備えたカメラのエクステンダー装置であって、前記カラー部材を第１のカラー部材として該第１のカラー部材の他に、前記軸に回動可能に嵌装され、該嵌装された前記軸の中心に対して偏心した外周面を有する第２のカラー部材を備え、
前記２種類の変換レンズのうち一方の変換レンズの前記軸装着部の一部分が前記第１のカラー部材の偏心した外周面に回動可能に嵌装されると共に、前記軸が前記第２のカラー部材を介して前記装置本体の所定部材に支持されたことを特徴とする請求項１のカメラのエクステンダー装置。
【請求項４】
前記カラー部材は前記軸の中心に対して偏心していない外周面を有すると共に、前記軸を支持する前記装置本体の所定部材に前記軸が挿通される貫通した孔が形成され、該孔に前記軸が前記カラー部材の偏心していない外周面を介して嵌合されることにより前記軸が前記所定部材に支持されることを特徴とする請求項１のカメラのエクステンダー装置。
【発明の詳細な説明】
【０００１】
【発明の属する技術分野】
本発明はカメラのエクステンダー装置に係り、特に撮影光路に挿脱する変換レンズの光軸調整が可能なカメラのエクステンダー装置に関する。
【０００２】
【従来の技術】
従来、放送用テレビカメラのレンズ装置に用いられるエクステンダー装置は、撮影レンズ系の撮影光路中に変倍レンズ（エクステンダーレンズ）を必要に応じて撮影光路中に挿入し、像の倍率を変換するものである。例えば、２倍のエクステンダーレンズであれば、外部に設けられた操作レバー等を操作してそのエクステンダーレンズを撮影光路中に配置することにより、像を２倍に拡大撮像できる。
【０００３】
また、近年、放送用テレビカメラ等の分野では、アスペクト比４：３とアスペクト比１６：９を選択的に切り替えることができるカメラが実用化されている。この種のスイッチャブル対応カメラでは、例えば、撮像面に１６：９のＣＣＤ素子が用いられ、アスペクト比４：３に設定された場合には、ＣＣＤ素子の左右の一部領域を使用せず、中央部のアスペクト比４：３の領域のみを使用するようにしている。このため、アスペクト比４：３に設定した場合には画角が約２０％狭くなり、焦点距離が見かけ上望遠側にシフトするという不具合があった。
【０００４】
そこで、撮影光路中に約０．８倍程度の変換レンズ（レシオコンバータレンズ）を装着させてイメージサイズを変更し、上記欠点を解消する方法が提案されている。
また、従来、上記エクステンダーレンズとレシオコンバータレンズとを備え、像の倍率を拡大できるようにすると共にアスペクト比を変更できるようにしたエクステンダー装置も提案されている。尚、上記エクステンダーレンズが撮影レンズの倍率を高倍にするのに対し、レシオコンバータレンズは撮影レンズの倍率を低倍にするという点でエクステンダーレンズと異なる。しかしながら、レシオコンバータレンズとエクステンダーレンズは撮影レンズの倍率を変換する変倍レンズである点で共通し、また、装置としても同様に構成されることから、本明細書ではアスペクト比を変換するレシオコンバータ装置もエクステンダー装置と称する。
【０００５】
【発明が解決しようとする課題】
ところで、２種類のエクステンダーレンズを搭載する場合に、装置の構成を簡単にするためにエクステンダーレンズを一本の軸により回動自在に支持し、必要に応じて所望のエクステンダーレンズを回動させて撮影光路中に挿脱させるエクステンダー装置が本願出願人により提案されている（特開平８−１７１０４３号公報）。また、一方がレシオコンバータレンズの場合についても同様に提案されている（特願平９−２６４０７７号明細書）。このようなエクステンダー装置においては、撮影光路中に挿入した際の各エクステンダーレンズの光軸調整を上記一本の軸の傾きを調整することにより同時に行っていた。
【０００６】
しかしながら、各エクステンダーレンズの光軸を一本の軸の傾き調整で同時に合わせることは困難である。そのため、従来は、感度が高い高倍率のエクステンダーレンズの光軸を優先的に調整するようにしていたが、この場合には、低倍率のエクステンダーレンズ（又はレシオコンバータレンズ）の光軸が大きくずれる場合があるという問題があった。
【０００７】
本発明はこのような事情に鑑みてなされたもので、一本の軸に回動自在に支持された倍率の異なる２種類の変倍レンズの光軸を好適に撮影レンズの光軸に合わせることができるカメラのエクステンダー装置を提供することを目的とする。
【０００８】
【課題を解決するための手段】
本発明は前記目的を達成するために、装置本体内に固定された軸と、撮影レンズの撮影光路中に挿脱され、該撮影レンズの焦点距離を変更する変換レンズと、前記変換レンズを前記軸に回動可能に保持する軸装着部と、前記軸に回動可能に嵌装され、前記軸の中心に対して偏心した外周面を有し、該偏心した外周面に前記軸装着部の一部分が回動可能に嵌装されるカラー部材と、前記カラー部材の前記軸に対する回転調整によって前記変換レンズの光軸の傾きを調整した後、前記カラー部材を前記軸に固定する固定部材と、を備えたことを特徴としている。
【０００９】
本発明によれば、変換レンズの光軸を撮影レンズの光軸に好適に合わせることができるようになる。
【００１０】
また、請求項２に記載の発明によれば、倍率の異なる２種類の変換レンズが同一の軸に保持されている場合に、軸の取りつけ精度で十分に精度が確保できる低倍率の変倍レンズの光軸に影響を与えることなく、高精度の光軸調整を要求される高倍率の変倍レンズの光軸を好適に調整することができるようになり、効果的に両方の変倍レンズの光軸を好適に撮影レンズの光軸に合わせることができる。
【００１１】
更に、請求項３に記載の発明によれば、２種類の変倍レンズの光軸をそれぞれ独立して調整することが可能となる。
【００１２】
【発明の実施の形態】
以下添付図面に従って本発明に係るカメラのエクステンダー装置の好ましい実施の形態を詳述する。
図１は、本発明に係るエクステンダー装置が適用されたテレビカメラ用ズームレンズ装置（ＥＮＧレンズ）の外観及び内部構造を示した部分断面図である。同図に示すＥＮＧレンズは、ＥＮＧカメラ等の放送用テレビカメラに用いられるインナーフォーカス式ズームレンズである。レンズ本体２の前面にはレンズフード４が設けられ、レンズ本体２の周面には、フォーカスリング６、ズームリング８、アイリスリング１０等が設けられている。
【００１３】
レンズ本体２の内部には前方から順に、固定フォーカスレンズ群１４、移動フォーカスレンズ群１６、変倍レンズ系１８、補正レンズ系２０、アイリス２２、及びリレーレンズ２４が設けられ、その後方に、エクステンダー装置に相当するエクステンダー部２６が設けられている。また、エクステンダー部２６の後方にはマスターレンズ２８が配設される。
【００１４】
エクステンダー部２６には、例えば、２倍のエクステンダー３０（レンズ３０Ａ、３０Ｂ）と、約０．８倍のレシオコンバータ３２（レンズ３２Ａ、３２Ｂ）が搭載される。尚、このレシオコンバータ３２はアスペクト比を１６：９と４：３に切り替えることができるスイッチャブル対応カメラに対応させて搭載されたものである。エクステンダー３０、レシオコンバータ３２はそれぞれレンズ保持枠３４、３６に保持され、これらのレンズ保持枠３４、３６はケース体３８内に設けられた支軸４０に回動自在に支持される。尚、同図ではエクステンダー３０が撮影光路中に挿入されている。
【００１５】
図２は上記エクステンダー部２６の内部構造を示した要部拡大図である。同図に示すように上記エクステンダー３０のレンズ保持枠３４は円筒状の連結部材４２にネジ４４、４４により固定され（図１参照）、連結部材４２を介して支軸４０に支持される。連結部材４２は２つの突設された軸受け部４２Ａ、４２Ｂを有し、各軸受け部４２Ａ、４２Ｂに支軸４０を挿通する孔４２Ｃ、４２Ｄが形成される。一方の軸受け部４２Ａは、孔４２Ｃの内周面と支軸４０との間に取り付けられたベアリング４６によって支軸４０に回動自在に支持され、他方の軸受け部４２Ｂはギヤ４８Ａが形成された円筒部材４８の外周に固着され、この円筒部材４８は、ベアリング５０を介して支軸４０に回動自在に支持されている。
【００１６】
従って、円筒部材４８がギヤ４８Ａを介して回動すると、エクステンダー３０が支軸４０を中心に回動し、エクステンダー３０が撮影光路中に挿脱されるようになっている。尚、円筒部材４８のギヤ４８Ａはケース体３８外部に設けられたエクステンダー切替レバー（図示せず）によって回動するギヤ（図示せず）と噛合されており、この切替レバーをカメラマンが操作することにより円筒部材４８を回動させてエクステンダー３０を撮影光路中に挿脱できるようになっている。エクステンダー３０が撮影光路中に挿入された場合に、テレビカメラがアスペクト比１６：９で撮影しているときは、焦点距離が２倍となり、アスペクト比４：３で撮影しているときには焦点距離が２．４倍となる。
【００１７】
また、レシオコンバータ３２のレンズ保持枠３６は円筒状の連結部材５２にねじ込まれ（図１参照）、連結部材５２を介して支軸４０に支持される。連結部材５２は上記連結部材４２と同様に２つの突設された軸受け部５２Ａ、５２Ｂを有し、各軸受け部５２Ａ、５２Ｂに支軸４０を挿通する孔５２Ｃ、５２Ｄが形成される。一方の軸受け部５２Ａはギヤ５４Ａが形成された円筒部材５４の外周に固着され、この円筒部材５４は、ベアリング５６を介して支軸４０に回動自在に支持されている。他方の軸受け部５２Ｂは、孔５２Ｄの内周面と支軸４０との間に取り付けられたベアリング５８によって支軸４０に回動自在に支持される。尚、連結部材５２の２つの軸受け部５２Ａ、５２Ｂは上記連結部材４２の２つの軸受け部４２Ａ、４２Ｂと互い違いに配置されるようになっている。
【００１８】
従って、円筒部材５４がギヤ５４Ａを介して回動すると、レシオコンバータ３２が支軸４０を中心に回動し、レシオコンバータ３２が撮影光路に挿脱される。尚、円筒部材５４のギヤ５４Ａはケース体３８外部に設けられたレシオコンバータ切替レバー（図示せず）によって回動するギヤ（図示せず）と噛合され、この切替レバーを操作することにより円筒部材５４を回動させてレシオコンバータ３２を撮影光路に挿脱できるようになっている。カメラがアスペクト比４：３に設定された時、レシオコンバータを挿入すると、水平方向の画角が等倍となる。
【００１９】
上記支軸４０は、ケース体３８に形成された挿入孔３８Ａから内部に挿入され、支軸４０の後端部が挿入孔３８Ａの対向側に形成された孔３８Ｂに嵌入される。そして、支軸４０の先端部に形成された支持部６０が挿入孔３８Ａに接着等によって固定されるようになっている。
一方、上記支軸４０の後端部と上記孔３８Ｂとの間には、後端部が拡径された円筒状のカラー６２が挿入される。これにより、支軸４０と孔３８Ｂの間の隙間が埋められ、支軸４０の上下左右方向のぶれが防止される。また、カラー６２の先端部（偏心部６２Ａ）は上記回転部材４８を支持するベアリング５０の内周まで延設されるようになっている。このカラー６２の偏心部６２Ａは、図５、図６に示すように外周に円筒面が形成されるが、その円筒面の中心は支軸４０が挿通される孔６２Ｂの中心から偏心している。即ち、ベアリング５０が支軸４０の中心軸とずれた軸を中心軸として回動するようになっている。従って、エクステンダー３０はこのカラー６２の偏心部６２Ａの偏心方向に応じて支軸４０とは異なる方向を回転軸として回動する。また、上記カラー６２の後端側の拡径部６２Ｂには切り溝が形成されており、カラー６２を支軸４０に嵌め込んだ後に拡径部６２Ｂに形成された切り溝にドライバー等を差し込んでカラー６２を回転させることにより、カラー６２の偏心部６２Ａの偏心方向を調整することができる。これにより、エクステンダー３０を撮影光路に配置したときのエクステンダー３０の光軸を適切な方向に調整することができる。
【００２０】
また、上記支軸４０の後端面にはネジ孔４０Ａが形成され、このネジ孔４０Ａにはネジ６４がねじ込まれる。これにより、ネジ６４の頭部によってカラー６２が押さえ付けられカラー６２が上記光軸調整した状態で固定されるようになっている。
以上の如く構成されたエクステンダー装置によれば、従来は支軸４０の傾きを調整してエクステンダー３０とレシオコンバータ３２の光軸を同時に調整するようにしていたため、一方の光軸を好適に調整すると、他方の光軸が却って悪くなるという不具合があり、特に高精度の光軸調整を要求される高倍率のエクテンダー３０を優先的に調整すると、低倍率のレシオコンバータ３２の光軸が大きくずれてしまうという問題があったのに対し、上記実施の形態のように偏心したカラー６２を用いることによって、支軸４０の取り付け精度で十分に精度が確保できるレシオコンバータ３２の光軸に影響を与えることなく、高精度の光軸調整を要求されるエクステンダー３０の光軸のみを独立して好適に調整することができるようになる。
【００２１】
尚、上記実施の形態では、２倍のエクステンダー３０と０．８倍のレシオコンバータ３２を搭載したエクステンダー装置について説明したが、これに限らず任意の２種類の倍率（高倍率と低倍率）のエクステンダーが搭載されたエクステンダー装置についても同様に適用できる。また、１種類のエクステンダー又はレシオコンバータのみを搭載したエクステンダー装置については、支軸で光軸調整しても上述のような問題は発生しないが、その場合でも上記実施の形態と同様に偏心したカラーによりレンズの光軸を調整することは可能である。
【００２２】
次に、上記実施の形態のようにエクステンダー３０の光軸調整のみではなくレシオコンバータ３２の光軸調整も可能にした場合の実施の形態について説明する。図３はエクステンダー３０とレシオコンバータ３２の両方の光軸を別々に調整できるようにした第２の実施の形態を示した要部拡大図である。尚、上記図１又は図２に示した構成部材と同一又は類似作用の部材には同一符号を付し、その説明は省略する。図３に示すように支軸４０の後端とケース体３８の孔３８Ｂの間に偏心した外周面７０Ａを有するカラー７０が挿入される。このカラー７０は上記図２に示したカラー６２と異なり、支軸４０の傾きを調整するものであり、このカラー７０の偏心方向を調整することにより、支軸４０の傾きを調整し、エクステンダー３０の光軸を調整することができるようになっている。
【００２３】
一方、レシオコンバータ３２を回動自在に支持するベアリング５６の内周側には、偏心した外周面７２Ａを有するカラー７２が取り付けられる。従って、このカラー７２の偏心方向を調整することによりレシオコンバータ３２の光軸が調整できるようになっている。
以上の構成により、エクステンダー３０とレシオコンバータ３２の光軸の両方を別々に調整することができるようになる。
【００２４】
図４はエクステンダー３０とレシオコンバータ３２の両方の光軸を別々に調整できるようにした第３の実施の形態を示した要部拡大図である。尚、上記図１又は図２に示した構成部材と同一又は類似作用の部材には同一符号を付し、その説明は省略する。同図に示すように図２に示したカラー６２の内側に更に偏心した外周面７４Ａを有するカラー７４が挿入されるようになっている。尚、支軸４０の後端部は、このカラー７４の厚さ分だけ縮径されている。この内側のカラー７４を回動させて偏心方向を調整することにより、支軸４０の傾きを調整することができ、レシオコンバータ３２の光軸を調整することができる。一方、エクステンダー３０の光軸は、上記図２に示した実施の形態と同様に外側のカラー６２によって調整することができる。
【００２５】
【発明の効果】
以上説明したように本発明に係るカメラのエクステンダー装置によれば、軸に取り付けた円筒部材の偏心した外周面に変換レンズを回動自在に支持し、前記円筒部材を回動調整して外周面の偏心方向を調整することにより、前記変換レンズの回転軸の方向を調整できるようにする。これにより、変換レンズの光軸を撮影レンズの光軸に好適に合わせることができるようになる。
【００２６】
また、倍率の異なる２種類の変換レンズが前記軸に取り付けられる場合に、倍率の高い方の変換レンズを前記円筒部材の外周面に回動自在に取り付けるようにし、円筒部材を回動調整することにより倍率の高い変換レンズの光軸を独立して調整できるようにする。これにより、軸の取り付け精度で十分に精度が確保できる低倍率の変倍レンズの光軸に影響を与えることなく、高精度の光軸調整を要求される高倍率の変倍レンズの光軸を好適に調整することができるようになり、結果的に両方の変倍レンズの光軸を好適に撮影レンズの光軸に合わせることができる。
【００２７】
更に、上述のように一方の変倍レンズの光軸のみを偏心した外周面を有する円筒部材によって調整できるようにするとともに、同様の円筒部材によって軸の傾きも調整できるようにすることにより、２種類の変倍レンズの光軸をそれぞれ別々に調整することが可能となる。
【図面の簡単な説明】
【図１】図１は、本発明に係るエクステンダー装置が適用されたテレビカメラ用ズームレンズ装置（ＥＮＧレンズ）の外観及び内部構造を示した部分断面図である。
【図２】図２は、エクステンダー装置の内部構造を示した要部拡大図である。
【図３】図３は、エクステンダーとレシオンバータの両方の光軸調整を別々にできるようにした第２の実施の形態を示した要部拡大図である。
【図４】図４は、エクステンダーとレシオンバータの両方の光軸調整を別々にできるようにした第３の実施の形態を示した要部拡大図である。
【図５】図５は、カラーの形状を示した斜視図である。
【図６】図６は、カラーの形状を示した正面図である。
【符号の説明】
２…レンズ本体
２６…エクステンダー部
３０…エクステンダー
３２…レシオコンバータ
４０…支軸
４２、５２…連結部材
６２…カラー
【図１】
0003867389.tif 000002
【図２】
0003867389.tif 000003
【図３】
0003867389.tif 000004
【図４】
0003867389.tif 000005
【図５】
0003867389.tif 000006
【図６】
0003867389.tif 000007